(57)【要約】【課題】    従来の薬服用過誤の防止には患者が薬を薬局から受け取ったのちに患者自身が薬を整理し、薬服用を管理するとことを前提にしたものが多かった。左記管理方法は高齢者、障害者には不向きであった。【解決手段】    薬を受容できうる空間を複数以上持った外部から視認可能な部材で作られた容器に、薬剤師が薬を受容後、シールを有する台紙にてサンドイッチ状態に圧着する。これにより、従来患者サイドで薬を整理し、薬服用を管理する労を薬剤師サイドに移すことによって、より薬服用過誤の防止化がはかられることになる。又、一視にて薬服用状況が確認可能なため、より薬管理の徹底化がはかられる。【選択図】図１
2009000485.tif 000002
【特許請求の範囲】
【請求項１】
薬を受容する為に設けられた空間を有する透過性を持ち外部から視認可能な部材で作られた容器と前記容器を密封するための朝、昼、夕、ねる前の時間帯及び服薬日、曜日が印刷又は記載可能なシールを有し、前記シールの表示内容に加え患者情報、注意事項用法、用量、販売先所在が印刷又は記載出来うる箇所を有し、前記容器の凸部を挿入合致する孔を複数以上有する台紙から構成され、前記容器の凸部を前記台紙が有する孔に挿入合致させ、薬を前記容器の凹部に受容させた後、前記台紙にてサンドイッチ状に圧着する薬剤パック。
【請求項２】
前記第１の容器を密封する為の前記第１のシールは前記第１の容器の受容口の同形部に合致した前記第１のシールの接触面はのり付けが施されておらず前記第１のシールは前記第１の容器の受容口の同形部以外の接触面にのり付けが施されている薬剤パック。
前記第１のシールの剥離紙面はスリットを一つ以上もつ構成をとる薬剤パックであって前記第１の容器の受容口より外側に受容口を囲む形状で前記第１のシールに切れ目が部分的に施されている構造を特徴とする請求項１に記載の薬剤パック。
【請求項３】
前記第１の台紙は患者情報の印刷又は記載部に切り取り線を施した構造をもつ請求項１乃至請求項２に記載の薬剤パック。
【請求項４】
前記第１又は前記第３の台紙及び前記第１又は前記第２のシールは用法に点字仕様が施されている請求項１から請求項３に記載の薬剤パック。
【請求項５】
前記第１又は前記第２の容器は前記第１、前記第３又は前記第４の台紙によってサンドイッチ状に圧着され前記第１、前記第３又は前記第４の台紙に孔が施された請求項１、請求項３又は請求項４に記載の薬剤バック。
【発明の詳細な説明】
【技術分野】
【０００１】  本発明は、薬の服用過誤防止化を図った薬剤パックに関する。
【背景技術】
【０００２】  従来の薬の服薬過誤防止を図った方法にはカレンダーにフックを付け薬袋を服薬時ごとに移動させる薬服用カレンダーとした方法で対策を施したものがある。（例えば、特許文献１参照）
【特許文献１】  特開２００２−３７０４７３
【発明の開示】
【発明が解決しようとする課題】
【０００３】  従来の方法では、患者の主体的行動が薬服用時にも要求されることが多く、高齢者等には不向きであった。【０００４】  本発明は、患者に薬服用時の主体的行動を要求せず、薬局の薬剤師が調剤時におこなうもので患者の適切な薬の服用の実現を目的とするものである。
【課題を解決するための手段】
【０００５】  そして、本発明は上記目的を達成するために薬剤を受容する為に設けられた空間を有する透過性を持ち外部から視認可能な部材で作られた容器と前記容器を密閉する為の朝、昼、夕、ねる前の時間帯及び服薬日、曜日が印刷又は記載可能なシールを有し、前記シールの表示内容に加え患者情報、注意事項、用法、用量、販売先所在が印刷又は記載出来うる箇所を有し、前記容器の凸部を挿入合致する孔を複数以上有する台紙から構成され、前記容器の凸部を前記台紙が有する孔に挿入合致させ、薬を前記容器の凹部に受容させた後、前記台紙にてサンドイッチ状に圧着するようにしたものである。【０００６】  又、第２の課題解決手段は、前記容器を密封する為の前記シールは前記容器の受容口の同形部に合致した前記シールの接触面はのり付けが施されておらず前記シールは前記容器の受容口の同形部以外の接触面にのり付けが施されている。
前記シールの剥離紙面はスリットを一つ以上もつ構成をとり前記容器の受容口より外側に前記受容口を囲む形状で前記シール接着面に切れ目が部分的に施されている構成としたものである。【０００７】  又、第３の課題解決手段は、前記台紙は患者情報の印刷又は記載部に切り取り線を施したものである。【０００８】  又、第４の課題解決手段は、前記台紙には用法に点字仕様が施されている。【０００９】  又、第５の課題解決手段は前記容器は前記台紙によってサンドイッチ状に圧着され台紙に孔をもつ構成としている。【００１０】  上記第１の解決手段による作用は次の通りである。すなはち薬剤師が調剤時、用法が同じ薬を１包する為、患者は薬服用過誤を招きにくく、薬服用労力の軽減化が達成でき、透過性の材質を有する容器に薬剤を受容する為、患者は即座に薬服用状況を確認することが可能である。【００１１】  又、第２の課題解決手段による作用は、前記シールの剥離紙面に一つ以上のスリットを持つ構成をとることで薬を前記容器に受容後、密封することが容易となり前記容器の受容口より外側に受容口を囲む形状で前記シールに切れ目が部分的に施されている為、患者の薬服用時の開封が容易に行えるという効果を発揮する。【００１２】  又、第３の課題解決手段による作用は、患者情報の印刷又は記載部を切り取り線にて容易に分離しやすく患者情報の保護ができる。【００１３】  又、第４の課題解決手段による作用は、前記台紙乃至前記シールに点字を施す構造をもつことによって、視覚障害者にも対応出来得る。【００１４】  又、第５の課題解決手段による作用は、台紙に孔を施すことによって壁掛けや、吊るすことも容易にでき薬服用状況の一視にての確認が出来、飲み忘れ、飲みすぎ、置き忘れ防止につながる。
【発明の効果】
【００１５】
【００１６】  上述したように本発明の薬剤パックは、患者の薬服用過誤を防止にするとともに患者の薬服用労力の軽減化につながる。【００１７】  又、患者情報の記載部又は印字部が分離容易な為、患者情報の保護ができる。又、前記台紙部乃至シール部に点字を施すことによって視覚障害者にも対応できる。
又、台紙に孔を施すことによって壁掛けや、吊るすことも容易にでき薬服用情況の一視にての確認が出来、飲み忘れ、飲みすぎ、置き忘れ防止につながる。
【発明の実施するための最良の形態】
【００１８】  以下、本発明の実施の形態を図１〜図１１に基ずいて説明する。
【００１９】  図１は薬を受容する為に設けられた空間を有する透過性を持ち外部から視認可能な部材で作られた容器と前記容器を密封する為の朝、昼、夕、ねる前の時間帯及び服薬日、曜日が印刷又は記載可能なシールを有し、前記シールの表示内容に加え患者情報、注意事項、用法用量、販売先所在が印刷又は記載できる箇所を有し、前記容器の凸部を挿入合致する孔を複数以上有する台紙から構成され、前記容器の凸部を前記台紙が有する孔に挿入合致させ薬を前記容器の凹に受容させた後、前記台紙にてサンドイッチ状に圧着した斜面図である。
【００２０】  図２は薬を受容する為に設けられた空間１を有する透過性を持ち外部から視認可能な部材で作られた容器の正面図である。
【００２１】  図３は前記図２の容器の側面図である。
【００２２】  図４は前記容器を密閉する為の朝、昼、夕、ねる前の時間帯及び服薬日、曜日が印刷又は記載可能なシール接着部２とシール剥離部３、を有し前記シールの表示内容に加え、注意事項部５、用量部５、患者情報部６、用法部６、販売先所在部６が印刷又は、記載できる箇所を有し、図２，３の前記容器の凸部を挿入合致する孔７を有する台紙の全体図である。
【００２３】  図５は薬を受容する為に設けられた空間を有する透過性を持ち外部から視認可能な部材で作られた容器１と前記容器を密封する為の朝、昼、夕、ねる前の時間帯及び服薬日、曜日が印刷又は記載可能なシール２を有し、前記シールの表示内容に加え患者情報、注意事項、用法、用量、販売先所在が印刷又は記載できる箇所４，５，６を有し、前記容器の凸部１６を挿入合致する孔７を複数以上有する台紙から構成され、前記容器の凸部１６を前記台紙が有する孔７に挿入合致させ、薬を前記容器の凹部８〜１４の様に受容させた後、前記台紙２にてサンドイッチ状に圧着した側面図である。孔受容部に面するシールは面は１５のように孔に対応する数だけのり付けが施されていない。
【００２４】  図６はシール剥離部を除いた前記容器に圧着する面で接着部１７と非接着部１８で構成されている。
【００２５】  図７はシール剥離部が複数のスリットによって区分され剥がしやすく、接着面に正確に貼ることができる。
【００２６】  図８はシール開封の正面図を構成し、ミシン目によって目的外孔の破損防止を行うものである。又容器受容口２０を囲む形状としている為、密封性に優れている
図９は前記ミシン目の代わりにスリット２１を入れたもので容器を囲む形状に構成され四方はスリット部の２１と四方の角スリットなし２２の構成とした。このことによりシール部の離脱防止をおこなう。上記シール部は、図８乃至図９のいずれかの切れ目を施して構成する。
【００２７】  図１０及び図１１はは患者情報６の分離可能な分離切り取り線２３を有しシールを有する台紙に２４の点字仕様が施され一視にて服薬状況が判別できるように２５の孔を構成した。
【図面の簡単な説明】
【００２８】
【図１】  本発明の実施形態を示す薬剤パックの斜面図
【図２】  薬を受容する為に設けられた空間を有する容器凸部正面図
【図３】  前記図２におけるＡ−Ａ線断面図
【図４】  前記容器を密封する為のシールを有する台紙斜面図
【図５】  実施形態を示す薬剤パックの図１におけるＢ−Ｂ線断面図
【図６】  シール接着面
【図７】  シール剥離紙面の剥離形態全景
【図８】  シール表面及び前記容器開口部のミシン目の加工仕様
【図９】  前記ミシン目仕様部位をスリット仕様に施した図
【図１０】  分離切り取り線、点字仕様及び孔を施した台紙正面図
【図１１】  分離切り取り線、点字仕様及び孔を施した台紙裏面図
【符号の説明】
【００２８】    １  容器
２  シール部表面
３  シール剥離部
４  台紙表紙部
５  注意事項、用法部
６  患者情報部、用量部、販売所在部
７  台紙孔
８  薬剤受容口
９  薬剤受容口
１０  薬剤受容口
１１  薬剤受容口
１２  薬剤受容口
１３  薬剤受容口
１４  薬剤受容口
１５  シール非粘着面
１６  受容器凸部
１７  シール接着面
１８  シール非接着面
１９  ミシン目
２０  容器受容口
２１  スリット部
２２  非スリット部
２３  切り取り線
２４  点字
２５  孔
【図１】
2009000485.tif 000003
【図２】
2009000485.tif 000004
【図３】
2009000485.tif 000005
【図４】
2009000485.tif 000006
【図５】
2009000485.tif 000007
【図６】
2009000485.tif 000008
【図７】
2009000485.tif 000009
【図８】
2009000485.tif 000010
【図９】
2009000485.tif 000011
【図１０】
2009000485.tif 000012
【図１１】
2009000485.tif 000013